(57)【要約】【課題】タイヤの実際の扁平率を低下させることなく、サイドを薄く見せ、実際のリム径よりも大きいリム径に見せる。【解決手段】発明は、トレッド部１０ａとサイドウォール部１０ｂとからなるトロイド状の空気入りタイヤ１０であって、サイドウォール部１０ｂの表面上で、タイヤ１０の最大幅位置よりもタイヤ半径方向内側に、タイヤ１０の回転軸を中心とする環状の装飾帯１を設ける。装飾帯１は、装飾部１１と平滑部１２とが、タイヤ１０の周方向に交互に配置されて構成されている。【選択図】  図１
2005153730.tif 000002
【特許請求の範囲】
【請求項１】
トレッド部とサイドウォール部とからなるトロイド状の空気入りタイヤであって、
前記サイドウォール部の表面上で、前記タイヤの最大幅位置よりもタイヤ半径方向内側に、前記タイヤの回転軸を中心とする環状装飾帯をなす、光の反射を抑制する反射抑制手段を備えることを特徴とする空気入りタイヤ。
【請求項２】
前記反射抑制手段は、前記サイドウォール部表面に形成された多数の凹凸であることを特徴とする請求項１に記載の空気入りタイヤ。
【請求項３】
前記反射抑制手段は、
前記サイドウォール部表面に多数の凹凸を形成してなる装飾部と、
前記サイドウォール部表面を平滑に形成してなる平滑部と
からなることを特徴とする請求項１に記載の空気入りタイヤ。
【請求項４】
前記装飾部と平滑部とは、前記タイヤの周方向に交互に配置されていることを特徴とする請求項３に記載の空気入りタイヤ。
【請求項５】
前記平滑部を幾何学模様とすることを特徴とする請求項４に記載の空気入りタイヤ。
【発明の詳細な説明】
【技術分野】
【０００１】
本発明は、トレッド部とサイドウォール部とからなるトロイド状の空気入りタイヤに関する。
【背景技術】
【０００２】
空気入りタイヤのサイドウォール部には、タイヤの回転軸を中心とする環状の装飾帯を設けることが一般的である。すなわち、図５に示すように、トレッド部９１とサイドウォール部９２を有する空気入りタイヤ９０の側面に装飾帯９３を設ける。この装飾帯９３は、径方向又は径に対する斜方向に細かいピッチで刻まれたローレット加工（断面が略三角形に形成する）による帯状をなしており、この帯状の中に、社名や商品名の刻印文字を配置し、装飾する（例えば、特許文献１、特許文献２参照。）。
【０００３】
このような装飾帯によれば、タイヤ側面の凹凸不良を目立たなくするとともに、高級感を演出することが可能となり、空気タイヤに付加価値をもたらす効果がある。
【特許文献１】特開平１０−１４７１１４号公報
【特許文献２】特開平１０−１９３９２２号公報
【発明の開示】
【発明が解決しようとする課題】
【０００４】
しかしながら、一般的に、リム径が小さい低扁平タイヤは、前世代の商品や、商用車向け商品、或いは廉価版の商品というイメージを想起させる傾向がある一方で、リム径が大きい商品の方が、ファッション性が高いとともに、高級感を想起させる傾向がある。
【０００５】
そのため、上述した従来の装飾帯を設けても、サイズの低扁平の印象を払拭することができず、外観上の品質を確保することが困難となる。したがって、需要者は、高級感を重視して、純正のタイヤサイズからインチアップして、リム径を大きくする傾向がある。
【０００６】
ところが、リム径を大きくするに伴い、タイヤの扁平率が低下することとなるため、乗り心地が固くなり、快適性が低下する傾向がある。
【０００７】
そこで、本発明は、上述した問題点に鑑みてなされたものであり、タイヤの実際の扁平率を低下させることなく、サイドを薄く見せ、実際のリム径よりも大きいリム径に見せることのできる空気入りタイヤを提供することをその目的とする。
【課題を解決するための手段】
【０００８】
上記課題を解決するために、本発明は、トレッド部とサイドウォール部とからなるトロイド状の空気入りタイヤであって、サイドウォール部の表面上で、タイヤの最大幅位置よりもタイヤ半径方向内側に、タイヤの回転軸を中心とする環状装飾帯をなす、光の反射を抑制する反射抑制手段を備える空気入りタイヤである。
【０００９】
このような本発明の空気入りタイヤによれば、反射抑制手段をタイヤの最大幅位置となる円周内方に配置することにより、リム径を大きく、サイドを薄く見せることができ、実際の扁平率よりも低い扁平率のタイヤに見せることができる。この結果、乗り心地や快適性を低減させることなく、外観上の高級感とファッション性を向上させることができる。
【００１０】
上記発明において、反射抑制手段は、サイドウォール部表面に形成された多数の凹凸であることが好ましい。このような空気入りタイヤによれば、例えば、峰状のリッジなどの凹凸を形成することにより、サイドウォール部表面の光沢を低減させることにより、適切に反射を抑制することができる。
【００１１】
上記発明において、反射抑制手段は、サイドウォール部表面に多数の凹凸を形成してなる装飾部と、サイドウォール部表面を平滑に形成してなる平滑部とからなることが好ましい。このような空気入りタイヤによれば、凹凸により光沢を低減させた装飾部と、平滑な平滑部との両方を設けることにより、タイヤのデザイン性を向上させつつ、反射を抑制することができる。
【００１２】
上記発明において、装飾部と平滑部とは、タイヤの周方向に交互に配置されていることが好ましい。このような空気入りタイヤによれば、タイヤのデザイン性を向上させつつ、タイヤの回転時における反射抑制効果を向上させることができる。又、この装飾部と平滑部の割合を調節することにより、反射抑制効果を調節することができる。
【００１３】
上記発明において、平滑部は、幾何学模様とすることが望ましい。幾何学模様とは、具体的には、略台形や平行四辺形などの模様を指す。このような空気入りタイヤによれば、平滑部が幾何学模様であることから、装飾部とのコントラストがより顕著になり、リム径を更に大きく見せることができる。
【発明の効果】
【００１４】
本発明によれば、トロイド状の空気入りタイヤにおいて、タイヤの実際の扁平率を低下させることなく、サイドを薄く見せ、実際のリム径よりも大きいリム径に見せることができる。
【発明を実施するための最良の形態】
【００１５】
（空気入りタイヤの構成）
次に、本発明の実施形態に係る空気入りタイヤについて、図面を参照しながら説明する。図１は、本実施形態に係る空気入りタイヤの正面図であり、図２は、その断面図である。
【００１６】
図１に示すように、本実施形態に係るタイヤ１０は、その周面を形成するトレッド部１０ａと、表裏の側面を形成する一対のサイドウォール部１０ｂとから概略構成されたトロイド状の空気入りタイヤである。なお、本実施形態においてこのタイヤ１０は、リム１３に組み付けられている。
【００１７】
このタイヤ１０は、図２に示すように、一対のビードコア１０１間に跨がるトロイド状のカーカス１０２を備えている。カーカス１０２の径方向外側には、少なくとも２層からなるベルト１０３が配設され、このベルト１０３の径方向外側にはトレッド部１０ａを形成するトレッドゴム層１０４が配置され、軸方向外側にはサイドウォール部１０ｂを形成するサイドゴム層１０５が設けられている。
【００１８】
カーカス１０２は、両端部分がビードコア１０１をタイヤ内側から外側へ向けて折り返されている。カーカス１０２の本体部１０２ａと折返部１０２ｂとの間には、ビード部の補強を行うための断面略三角形状のビードフィラー１０７が設けられている。
【００１９】
そして、サイドウォール部１０ｂ表面には、タイヤ１０の回転軸を中心とする環状の反射抑制手段である装飾帯１を有している。この装飾帯１の外周縁Ｌ１は、タイヤ１０の回転軸を中心とし、タイヤ１０の最大幅位置（Ｗmax）となる円周と一致しており、この装飾帯１の内周縁Ｌ２は、外周縁Ｌ１のさらに内方に位置するリムフランジ１３ａと接触する円周と一致している。上記装飾帯１は、この外周縁Ｌ１と、内周縁Ｌ２との間の環状装飾帯であり、サイドウォール１０ｂ領域からビード領域に亘って配置される。尚、図２では、装飾帯１の外周縁Ｌ１は、タイヤ１０の最大幅位置（Ｗmax）となる円周と一致しているが、最大幅位置（Ｗmax）となる円周よりタイヤ半径方向内側であれば構わない。
【００２０】
本実施形態に係る装飾帯１は、図１に示すように、平滑部１１と装飾部１２とが、タイヤ１０の周方向に交互に配置されて構成されている。平滑部１１は、サイドウォール部１０ｂ表面を平滑に形成することによって構成され、装飾部１２は、サイドウォール部１０ｂ表面に形成された多数の峰状凹凸、いわゆるリッジで形成されている。かかるリッジは、上記環状帯において、タイヤ１０の径方向、或いは斜め方向に刻設された、断面が逆Ｖ字状の凸状をなす。
【００２１】
この平滑部１１は、本実施形態では、図１に示すように、周方向に均等間隔で４つ設けられ、左右対称の略台形を内周縁Ｌ２側で連結させた形状となっている。又、本実施形態に係る平滑部１１の高さは、装飾帯１の幅（Ｌ１〜Ｌ２）の約９０％程度であり、台形の外縁側上辺の総和は、装飾帯１の外縁側円周の約５０％程度となっている。
【００２２】
平滑部１１は、サイドウォール部１０ｂの表面を平滑に加工したものであり、ここに、例えば、タイヤサイズ等の必要表示レターを表示してもよい。
【００２３】
又、最大幅Ｗmaxとなる外周縁Ｌ１の外方に「ＢＲＩＤＧＥＳＴＯＮＥ」等の文字を表示してもよい。
【００２４】
（空気入りタイヤの作用・効果）
このような本実施形態に係る空気入りタイヤ１０によれば、装飾帯１をタイヤ１０の最大幅Ｗmaxとなる外周縁Ｌ１の内方に配置することにより、リム径を大きく、サイドを薄く見せることができ、実際の扁平率よりも低い扁平率のタイヤに見せることができる。この結果、乗り心地や快適性を低減させることなく、外観上の高級感とファッション性を向上させることができる。
【００２５】
更に、最大幅Ｗmaxとなる外周縁Ｌ１の外方に文字部を配置することで、平滑部１１とのコントラストにより、文字部が見やすくなり、視認性が向上する。
【００２６】
特に、本実施形態に係る装飾部１１は、峰状のリッジで形成された凹凸であることから、サイドウォール部１０ｂ表面の光沢を低減させることにより、適切に反射を抑制することができる。
【００２７】
又、具体的には、平滑部１１は、サイドウォール部１０ｂの表面を平滑に加工したものであり、光沢を有するため、リムがタイヤ部分にまで延長したように視認される。一方、装飾部１２は、リッジにより光沢がないので、リムのスポーク間の穴（影）のように視認される。
【００２８】
（変更例）
なお、本発明は、上述した実施形態に限定されるものではなく、種々の変更を加えることができる。
【００２９】
例えば、上述した実施形態において、平滑部１１は、周方向に均等間隔で４つ設けられ、それらの形状を同一としたが、例えば、図３に示すように、長さが異なる形状のものを混在させて６つ設けるなど、平滑部１１の長さ、高さ、形状、間隔、数、及び組合せを適宜変更し、反射抑制効果を調節するようにしてもよい。なお、平滑部１１の外周縁Ｌ１側の総周方向長さは、装飾帯１の周長の３３％〜７５％の範囲が好ましく、又、内周縁Ｌ２側の総周方向長さは、０％〜９０％の範囲が好ましい。又、平滑部１１の数は、３〜２０個であることが好ましい。
【００３０】
又、平滑部１１の形状は、上述した実施形態では、略台形としたが、図４に示すような、周方向に傾斜した平行四辺形としてもよい。この傾斜方向は、例えば、走行時におけるタイヤ回転方向と関連付けることにより、回転方向を考慮した反射抑制効果を得るようにしてもよい。
【図面の簡単な説明】
【００３１】
【図１】実施形態に係る空気入りタイヤのトレッドの正面図である。
【図２】実施形態に係る空気入りタイヤのトレッドの断面図である。
【図３】実施形態における変更例に係る空気入りタイヤのトレッドの正面図である。
【図４】実施形態における変更例に係る空気入りタイヤのトレッドの正面図である。
【図５】従来の空気入りタイヤのトレッドの正面図である。
【符号の説明】
【００３２】
Ｌ１…装飾帯外周縁
Ｌ２…装飾帯内周縁
Ｗmax…タイヤ最大幅
１…装飾帯（反射抑制手段）
１０…タイヤ
１０ａ…トレッド部
１０ｂ…サイドウォール部
１１…平滑部
１２…装飾部
１３…リム
１３ａ…リムフランジ
１０１…ビードコア
１０２…カーカス
１０２ａ…カーカス本体部
１０２ｂ…カーカス折返部
１０３…ベルト
１０４…トレッドゴム層
１０５…サイドゴム層
１０７…ビードフィラー
【図１】
2005153730.tif 000003
【図２】
2005153730.tif 000004
【図３】
2005153730.tif 000005
【図４】
2005153730.tif 000006
【図５】
2005153730.tif 000007